(57)【要約】【課題】車両の乗員にとって見やすい表示を行う技術を提供する。【解決手段】車両に搭載される１つ以上の表示装置の輝度の制御を行う表示制御装置の情報生成部は、表示装置の方向の情報と、車両に照射される外来光に関する情報とに基づいて、輝度を制御する制御情報を生成し、表示制御装置の情報出力部は、制御情報を表示装置に出力する。【選択図】図２
2020158019.tif 000002
【特許請求の範囲】
【請求項１】
車両に搭載される１つ以上の表示装置の輝度の制御を行う表示制御装置であって、
前記表示装置の方向の情報と、前記車両に照射される外来光に関する情報とに基づいて、前記輝度を制御する制御情報を生成する情報生成部と、
前記制御情報を前記表示装置に出力する情報出力部と、
を備える表示制御装置。
【請求項２】
前記情報生成部は、さらに、前記表示装置から乗員までの距離の情報に基づいて、前記制御情報を生成する請求項１に記載の表示制御装置。
【請求項３】
前記情報生成部は、さらに、前記車両の同乗者の有無の情報に基づいて、前記制御情報を生成する請求項１または２に記載の表示制御装置。
【請求項４】
前記情報生成部は、さらに、乗員の人種または性別の情報に基づいて、前記制御情報を生成する請求項１〜３のいずれか１項に記載の表示制御装置。
【請求項５】
前記情報生成部は、さらに、乗員の眼鏡の着用の有無の情報に基づいて、前記制御情報を生成する請求項１〜４のいずれか１項に記載の表示制御装置。
【請求項６】
前記情報生成部は、前記表示装置の性能または状態の情報に基づいて、前記制御情報を生成する請求項１〜５のいずれか１項に記載の表示制御装置。
【請求項７】
前記表示装置の状態の情報は、前記表示装置の表示面の向きの情報である請求項６に記載の表示制御装置。
【請求項８】
前記情報生成部は、前記車両の状態の情報に基づいて、前記制御情報を生成する請求項１〜７のいずれか１項に記載の表示制御装置。
【請求項９】
前記外来光に関する情報は、前記車両に照射される外来光の強度または方向の情報である請求項８に記載の表示制御装置。
【請求項１０】
前記車両の状態の情報は、前記車両の向きの情報である請求項８に記載の表示制御装置。
【請求項１１】
前記情報生成部は、前記表示装置に表示される画像の種類の情報に基づいて、前記制御情報を生成する請求項１〜１０のいずれか１項に記載の表示制御装置。
【請求項１２】
前記輝度の制御は、前記表示装置の分割された各表示領域に対して行われるローカルディミングによる制御である請求項１〜１１のいずれか１項に記載の表示制御装置。
【請求項１３】
車両に搭載される１つ以上の表示装置の輝度の制御を行う表示制御方法であって、
前記表示装置の方向の情報と、前記車両に照射される外来光に関する情報とに基づいて、前記輝度を制御する制御情報を生成するステップと、
前記制御情報を前記表示装置に出力するステップと、
を含む表示制御方法。
【請求項１４】
車両に搭載される１つ以上の表示装置の輝度の制御を行う表示制御プログラムであって、
コンピュータに、
前記表示装置の方向の情報と、前記車両に照射される外来光に関する情報とに基づいて、前記輝度を制御する制御情報を生成する処理と、
前記制御情報を前記表示装置に出力する処理と、
を実行させるための表示制御プログラム。
【発明の詳細な説明】
【技術分野】
【０００１】
本開示は、表示制御装置、表示制御方法、および、表示制御プログラムに関する。
【背景技術】
【０００２】
従来、表示装置の画面を複数の領域に分割し、領域ごとに映像の明るさに応じて輝度を調整するローカルディミングの技術が知られている。
【０００３】
例えば、特許文献１には、複数の表示装置を並べたマルチ画面を有するシステムについて開示されている。このシステムでは、使用者の視線を検知し、ある表示装置から使用者の視野範囲がはみ出した場合に、他の表示装置に視野範囲の情報を送信し、２つの表示装置において使用者の視野範囲内の表示領域に対応するバックライトの輝度を高めるとともに、視野範囲外の表示領域に対応するバックライトの輝度を低くする。
【先行技術文献】
【特許文献】
【０００４】
【特許文献１】特開２０１７−１５６５９３号公報
【発明の概要】
【発明が解決しようとする課題】
【０００５】
しかしながら、上述した特許文献１の従来技術を車両の表示装置に適用した場合、車両の乗員にとって必ずしも見やすい表示がなされるとは限らないという問題があった。
【０００６】
本開示の目的は、車両の乗員にとって見やすい表示を行うことができる表示制御装置、表示制御方法、および、表示制御プログラムを提供することにある。
【課題を解決するための手段】
【０００７】
上記課題を解決するために、本開示の一態様にかかる表示制御装置は、車両に搭載される１つ以上の表示装置の輝度の制御を行う表示制御装置であって、表示装置の表示面に対する方向の情報と、車両に照射される外来光に関する情報とに基づいて、輝度を制御する制御情報を生成する情報生成部と、制御情報を表示装置に出力する情報出力部と、を備える。
【０００８】
本開示の一態様にかかる表示制御方法は、車両に搭載される１つ以上の表示装置の輝度の制御を行う表示制御方法であって、表示装置の方向の情報と、車両に照射される外来光に関する情報とに基づいて、輝度を制御する制御情報を生成するステップと、制御情報を表示装置に出力するステップと、を含む。
【０００９】
本開示の一態様にかかる表示制御プログラムは、車両に搭載される１つ以上の表示装置の輝度の制御を行う表示制御プログラムであって、コンピュータに、表示装置の方向の情報と、前記車両に照射される外来光に関する情報とに基づいて、輝度を制御する制御情報を生成する処理と、制御情報を表示装置に出力する処理と、を実行させる。
【発明の効果】
【００１０】
本開示によれば、車両の乗員にとって見やすい表示を行うことができる。
【図面の簡単な説明】
【００１１】
【図１】本開示の実施の形態にかかる複数の表示装置の配置の一例を示す図
【図２】本開示の実施の形態にかかる表示制御システムの構成の一例を示すブロック図
【図３】本実施の形態における表示処理の処理手順の一例を示したフローチャート
【発明を実施するための形態】
【００１２】
以下に添付図面を参照して、本開示に係る好適な実施の形態について詳細に説明する。
【００１３】
図１は、本開示の実施の形態に係る複数の表示装置の配置の一例を示す。図１は、車両の上方から車内１０をみた図である。
【００１４】
図１に示すように、車両の車内１０には、例えば６つの表示装置２００〜２５０が備えられる。表示装置２００〜２５０は、例えば、バックライトを備える液晶ディスプレイである。表示装置２００〜２５０は、ほぼ乗員側（図１における符号Ｐで示される位置）に表示面を向けている。
【００１５】
なお、図１には、表示装置２００〜２５０が６つある場合を示したが、これに限られず、表示装置は１台以上であればよい。
【００１６】
表示装置２００は、例えば、進行方向を向いて（以下同様）、左側の後部座席の様子を表示する。表示装置２５０は、例えば、右側の後部座席の様子を表示する。
【００１７】
表示装置２１０は、例えば、車両がサイドカメラを備える場合に、左のサイドカメラが映し出した左側方および左後方の画像を表示する。表示装置２４０は、例えば、車両がサイドカメラを備える場合に、右のサイドカメラが映し出した右側方および右後方の画像を表示する。
【００１８】
表示装置２２０は、例えば、カーナビゲーションの地図画像、ＴＶ映像を表示する。
【００１９】
表示装置２３０は、例えば、速度計、回転計、ギヤ位置、および燃料計といった専ら運転に必要な情報を表示する。
【００２０】
また、表示装置２５０は、駆動部（図示せず）を備え、駆動部によって、表示面の向きを、例えば左右方向に変更することができる。また、表示装置２５０は、表示面の向きを上下方向に変更することができるようにしてもよい。
【００２１】
なお、表示面の向きを変更できるのは表示装置２５０に限られず、いずれの表示装置であってもよい。また、車内に設置される全ての表示装置２００〜２５０が表示面の向きを変更できることとしてもよい。
【００２２】
＜表示制御システムの構成＞
図２は、本開示の実施の形態に係る表示制御システムの構成の一例を示すブロック図である。この表示制御システムは、車内カメラ１００、照度センサ１１０、加速度センサ１２０、ＧＰＳ（Ｇｌｏｂａｌ  Ｐｏｓｉｔｉｏｎｉｎｇ  Ｓｙｓｔｅｍ）受信機１３０、温度センサ１４０、表示制御装置２０、および、前述の表示装置２００〜２５０を備える。
【００２３】
車内カメラ１００は、例えば、乗員を含む車内の様子を撮影するカメラである。また、照度センサ１１０は、車内の明るさを検知するセンサである。車内カメラ１００、および、照度センサ１１０は、車内１０に１つ設けてもよく、複数設けてもよい。
【００２４】
加速度センサ１２０は、車両の加速度を検知するセンサである。ＧＰＳ受信機１３０は、車両の位置を検知する装置である。また、温度センサ１４０は、表示装置２００〜２５０の温度を検知するセンサである。
【００２５】
表示制御装置２０は、１つ以上の表示装置２００〜２５０の表示制御を行う装置である。表示制御装置２０は、記憶部３０、情報生成部４０、情報出力部５０を備える。
【００２６】
記憶部３０は、例えば、乗員の情報、車両の状態の情報、表示装置２００〜２５０の性能および状態の情報、その他の情報を記憶するメモリやハードディスク装置などの記憶デバイスである。これらの情報については、後に詳しく説明する。
【００２７】
情報生成部４０は、記憶部３０が記憶する上述した情報に基づいて、表示装置２００〜２５０の輝度を制御する制御情報を生成する。この輝度の制御には、表示装置２００〜２５０の分割された各表示領域に対して行われるローカルディミングによる制御が含まれる。
【００２８】
また、このローカルディミングによる制御には、液晶ディスプレイの画素値（ＲＧＢ）のソフトウエアによる制御、バックライトの輝度の制御、および、上記画素値とバックライトの輝度の両方の制御が含まれる。
【００２９】
情報出力部５０は、情報生成部４０により生成された制御情報を表示装置２００〜２５０に出力して、表示装置２００〜２５０の輝度を制御する。そして、表示装置２００〜２５０は、この制御情報に基づいて、輝度の調整を行う。
【００３０】
なお、ここでは表示装置２００〜２５０が液晶ディスプレイであることとしたが、表示装置２００〜２５０は有機ＥＬ（Ｅｌｅｃｔｒｏ−Ｌｕｍｉｎｅｓｃｅｎｃｅ）ディスプレイであってもよい。この場合、情報生成部４０により生成された制御情報に基づいて、表示装置２００〜２５０は、有機ＥＬ材料の輝度を調整する。
【００３１】
つぎに、記憶部３０に記憶される情報と、その情報に基づく輝度の制御について詳しく説明する。
【００３２】
＜乗員の情報＞
乗員の情報には、例えば、運転者の位置情報、運転者の人種または性別の情報、眼鏡の着用の有無の情報、運転者と表示装置２００〜２５０との間の距離の情報、および、同乗者の有無の情報がある。
【００３３】
運転者の位置情報は、例えば、車内カメラ１００などを用いた従来の位置検出技術を用いて得られる情報である。この位置情報は、表示装置２００〜２５０の表示面に対する乗員の方向および距離の情報が含まれる。
【００３４】
情報生成部４０は、この情報を記憶部３０から読み出して、外来光が反射する方向を従来の技術を用いて算出し、光の反射により表示が見にくくなる領域についてはその領域に対応する表示領域の輝度を大きくするよう表示装置２００〜２５０を制御する制御情報を生成する。これにより、見にくい表示を見やすくすることができる。
【００３５】
また、運転者の人種または性別の情報は、例えば、車内カメラ１００を用いた従来の画像処理技術により得られる情報である。または、記憶部３０に予め運転者の人種や性別の情報が記憶されていてもよい。
【００３６】
視覚は人種、性別により異なるため、情報生成部４０は、運転者の人種または性別に応じて見えやすい輝度となるよう表示装置２００〜２５０を制御する制御情報を生成する。例えば、この輝度は実験等を行うことにより決定され、その結果は予め記憶部３０に記憶され、情報生成部４０により参照される。
【００３７】
また、眼鏡の着用の有無の情報は、例えば、車内カメラ１００を用いた従来の画像処理技術により得られる情報である。または、記憶部３０に予め運転者の眼鏡の着用の有無の情報が記憶されていてもよい。なお、眼鏡にはサングラスも含まれる。
【００３８】
眼鏡、特にサングラスを着用していると表示の見え方が異なる場合があるため、情報生成部４０は、眼鏡を着用した場合、眼鏡を着用していない場合のそれぞれにおいて見えやすい輝度となるよう表示装置２００〜２５０を制御する制御情報を生成する。
【００３９】
例えば、この輝度は実験等を行うことにより決定され、その結果は予め記憶部３０に記憶され、情報生成部４０により参照される。
【００４０】
また、運転者と表示装置２００〜２５０との間の距離の情報は、例えば、車内カメラ１００を用いた従来の画像処理技術により得られる情報である。
【００４１】
情報生成部４０は、この情報を記憶部３０から読み出して、外来光が反射する強度を算出し、光の反射により表示が見にくくなる領域についてはその領域に対応する表示領域の輝度を大きくするよう表示装置２００〜２５０を制御する制御情報を生成する。これにより、見にくい表示を見やすくすることができる。
【００４２】
また、同乗者の有無の情報は、例えば、車内カメラ１００を用いた従来の画像処理技術により得られる情報である。
【００４３】
情報生成部４０は、この情報を記憶部３０から読み出して、例えば、同乗者がいる場合、テレビ画像が運転手ではなく同乗者にとってよく見える輝度となるように表示装置２００〜２５０を制御する制御情報を生成する。
【００４４】
具体的には、情報生成部４０は、同乗者の位置における表示装置２００〜２５０の表示面からの外来光の反射の程度を算出し、反射が閾値よりも大きい領域についてはその領域に対応する表示領域の輝度を大きくするよう制御する制御情報を生成する。これにより、見にくい表示を見やすくすることができる。
【００４５】
＜車両の状態の情報＞
車両の状態の情報には、例えば、車両１０の内部に入射する外来光の強度または方向の情報、車内１０に入射する外来光の時間変化の情報、および、車両の向きの情報などがある。
【００４６】
車内１０に入射する外来光の強度または方向の情報は、例えば、照度センサ１１０、および、ＧＰＳ受信機１３０による車両の位置情報に基づいて得られる情報である。
【００４７】
情報生成部４０は、この情報を記憶部３０から読み出して、表示装置２００〜２５０の表示面において外来光が反射する方向を従来の技術を用いて算出し、光の反射により表示が見にくくなる領域については、その領域に対応する表示領域の輝度を大きくするよう表示装置２００〜２５０を制御する制御情報を生成する。これにより、見にくい表示を見やすくすることができる。
【００４８】
車内１０に入射する外来光の時間変化の情報は、例えば、照度センサ１１０により得られる外来光の変化の情報である。
【００４９】
例えば、外来光が点滅する光である場合、その点滅に合わせて輝度の制御を行うと、表示装置２００〜２５０の輝度が頻繁に変化することになる。これを防止するため、例えば、情報生成部４０は、外来光が所定の間隔未満で変化している場合には、輝度の制御をおこなわない。
【００５０】
車両の向きの情報は、例えば、加速度センサ１２０、または、ＧＰＳ受信機１３０により得られる情報である。
【００５１】
情報生成部４０は、この情報を記憶部３０から読み出して、太陽の位置と太陽光が反射する方向とを従来の技術を用いて算出し、太陽光の反射により表示が見にくくなる領域についてはその領域に対応する表示領域の輝度を大きくするよう表示装置２００〜２５０を制御する制御情報を生成する。これにより、見にくい表示を見やすくすることができる。
【００５２】
＜表示装置の性能および状態の情報＞
表示装置２００〜２５０の性能および状態の情報には、例えば、表示装置２００〜２５０の解像度の情報、表示装置２００〜２５０の温度の情報、表示装置２００〜２５０の向きの情報、表示装置２００〜２５０の色再現性能の情報、表示装置２００〜２５０の外来光の反射特性の情報、バックライトの分割数の情報、バックライトの発光性能の情報がある。
【００５３】
表示装置２００〜２５０の解像度の情報は、予め記憶部３０に記憶される。例えば、情報生成部４０は、この情報を記憶部３０から読み出して、表示装置２００〜２５０間で解像度が異なる場合に違和感のない表示となるように高解像度の表示装置２００〜２５０における画素値を平均化し、さらにバックライトの輝度を平均化された画素値に適合するように制御する制御情報を生成する。
【００５４】
例えば、この輝度は実験等を行うことにより決定され、その結果は予め記憶部３０に記憶され、情報生成部４０により参照される。
【００５５】
表示装置２００〜２５０の温度の情報は、例えば、温度センサ１４０により得られる情報である。
【００５６】
表示装置２００〜２５０は、温度によって色味および明るさが変化することがある。そのため、例えば、情報生成部４０は、温度の情報を記憶部３０から読み出して、色味および明るさの変化を補正するよう表示装置２００〜２５０の輝度を制御する制御情報を生成する。
【００５７】
例えば、この輝度は実験等を行うことにより決定され、その結果は予め記憶部３０に記憶され、情報生成部４０により参照される。
【００５８】
また、表示装置２００〜２５０の向きの情報は、予め記憶部３０に記憶される。例えば、情報生成部４０は、この情報を記憶部３０から読み出して、外来光が反射する方向を従来の技術を用いて算出し、光の反射により表示が見にくくなる領域についてはその領域に対応する表示領域の輝度を大きくし、コントラストが失われないよう表示装置２００〜２５０を制御する制御情報を生成する。
【００５９】
また、表示装置２００〜２５０の色再現性能の情報は、予め記憶部３０に記憶される。例えば、情報生成部４０は、この情報を記憶部３０から読み出して、表示装置２００〜２５０間で色の再現性に差がある場合には、違和感が生じないように表示装置２００〜２５０の輝度を制御する制御情報を生成する。
【００６０】
例えば、この輝度は実験等を行うことにより決定され、その結果は予め記憶部３０に記憶され、情報生成部４０により参照される。
【００６１】
また、表示装置２００〜２５０の外来光の反射特性の情報は、予め記憶部３０に記憶される。例えば、情報生成部４０は、この情報を記憶部３０から読み出して、表示装置２００〜２５０間で外来光の反射特性に差がある場合には、違和感が生じないように表示装置２００〜２５０の輝度を制御する制御情報を生成する。
【００６２】
例えば、この輝度は実験等を行うことにより決定され、その結果は予め記憶部３０に記憶され、情報生成部４０により参照される。
【００６３】
また、バックライトの分割数の情報は、ローカルディミングにおけるバックライトの分割数の情報であり、予め記憶部３０に記憶される。表示装置２００〜２５０間で分割数が異なる場合、明暗差が大きい画像において暗い部分に光が漏れるハロー現象の生じやすさが異なってくる。
【００６４】
そのため、例えば、情報生成部４０は、バックライトの分割数の情報を記憶部３０から読み出して、表示装置２００〜２５０間で分割数が異なる場合には、違和感が生じないように表示装置２００〜２５０の輝度を制御する制御情報を生成する。
【００６５】
例えば、この輝度は実験等を行うことにより決定され、その結果は予め記憶部３０に記憶され、情報生成部４０により参照される。
【００６６】
また、バックライトの発光性能の情報は、予め記憶部３０に記憶される。例えば、情報生成部４０は、この情報を記憶部３０から読み出して、表示装置２００〜２５０間で発光性能が異なる場合には、違和感が生じないように表示装置２００〜２５０の輝度を制御する制御情報を生成する。
【００６７】
例えば、この輝度は実験等を行うことにより決定され、その結果は予め記憶部３０に記憶され、情報生成部４０により参照される。
【００６８】
＜その他の情報＞
その他の情報として、例えば、表示装置に表示される画像の種別の情報がある。映像の種別の情報とは、例えば、ナビゲーション用の地図画像、テレビのスポーツ中継の画像などの種別を示す情報である。
【００６９】
例えば、情報生成部４０は、この情報を記憶部３０から読み出して、映像の種別に適した表示となるよう表示装置２００〜２５０の画素値および輝度を制御する制御情報を生成する。
【００７０】
例えば、映像が地図画像である場合には、情報生成部４０は、コントラストが高くなるように表示装置２００〜２５０の画素値および輝度を制御する制御情報を生成する。
【００７１】
一方、映像がスポーツ中継の画像である場合には、情報生成部４０は、画像の追従性がよくなるように表示装置２００〜２５０の画素値および輝度の制御を中止する制御情報を生成する。
【００７２】
なお、ここでは乗員の情報、車両の状態の情報、表示装置２００〜２５０の性能および状態の情報等について説明してきたが、情報生成部４０が、これらの情報を複数組み合わせて用い、車両の乗員が見やすい表示となるよう表示装置２００〜２５０の輝度を制御することとしてもよい。
【００７３】
さらに、輝度の制御だけでは見やすさの改善が図られない場合は、図１に示したように、表示装置２５０の表示面の向きを左右方向に変更して見やすくなるようにする制御情報を情報生成部４０が生成し、調整を行うこととしてもよい。
【００７４】
次に、本実施形態における表示処理の処理手順について説明する。図３は、本実施の形態における表示処理の処理手順の一例を示したフローチャートである。
【００７５】
なお、ここでは、車内カメラ１００、照度センサ１１０、加速度センサ１２０、ＧＰＳ受信機１３０、温度センサ１４０により検知された情報は記憶部３０に記憶されており、また、予め記憶部３０に記憶されている情報として前述した情報はすでに記憶部３０に記憶されているものとする。
【００７６】
まず、表示制御装置２０の情報生成部４０は、記憶部３０に記憶された乗員の情報、車両の状態の情報、表示装置２００〜２５０の性能および状態の情報のうち、少なくとも１つの情報を読み出す（ステップＳ１）。
【００７７】
この情報には、車内カメラ１００、照度センサ１１０、加速度センサ１２０、ＧＰＳ受信機１３０、温度センサ１４０により検知された情報、または、予め記憶部３０に記憶されている情報が含まれる。
【００７８】
なお、読み出す情報は予め定められていてもよいし、乗員が選択できるようにしてもよい。
【００７９】
次に、情報生成部４０は、読み出した情報に基づいて、上述したような方法により表示装置２００〜２５０の輝度を制御する制御情報を生成する（ステップＳ２）。
【００８０】
ここで、輝度の制御には、液晶ディスプレイの画素値のソフトウエアによる制御、バックライトの輝度の制御、および、上記画素値とバックライトの輝度の両方の制御が含まれる。
【００８１】
その後、情報出力部５０は、制御情報を表示装置２００〜２５０に出力する（ステップＳ３）。
【００８２】
続いて、この制御情報を受信した表示装置２００〜２５０は、制御情報に基づいて輝度を制御する（ステップＳ４）。
【００８３】
そして、情報生成部４０は、処理を継続するか否かを判定する（ステップＳ５）。例えば、車両の乗員より処理を終了する指示があり、処理を継続しない場合（ステップＳ５においてＮＯ）、この処理を終了する。
【００８４】
そのような指示がなく、処理を継続する場合（ステップＳ５においてＹＥＳ）、ステップＳ１以降の処理が再度実行される。
【００８５】
以上、本発明に係る実施形態について図面を参照して詳述してきたが、上述した各装置の機能は、コンピュータプログラムにより実現され得る。
【００８６】
例えば、上述した各装置の機能をプログラムにより実現するコンピュータは、キーボードやマウス、タッチパッドなどの入力装置、ディスプレイやスピーカーなどの出力装置、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク装置やＳＳＤ（Ｓｏｌｉｄ  Ｓｔａｔｅ  Ｄｒｉｖｅ）などの記憶装置、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）やＵＳＢ（Ｕｎｉｖｅｒｓａｌ  Ｓｅｒｉａｌ  Ｂｕｓ）メモリなどの記録媒体から情報を読み取る読取装置、ネットワークを介して通信を行うネットワークカードなどを備え、各部はバスにより接続される。
【００８７】
そして、読取装置は、上記各装置の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【００８８】
そして、ＣＰＵが、記憶装置に記憶されたプログラムをＲＡＭにコピーし、そのプログラムに含まれる命令をＲＡＭから順次読み出して実行することにより、上記各装置の機能が実現される。
【００８９】
＜本開示のまとめ＞
本開示における表示制御装置は、車両に搭載される１つ以上の表示装置の輝度の制御を行う表示制御装置であって、前記表示装置の方向の情報と、前記車両に照射される外来光に関する情報とに基づいて、前記輝度を制御する制御情報を生成する情報生成部と、前記制御情報を前記表示装置に出力する情報出力部と、を備える。
【００９０】
また、本開示における表示制御装置において、前記情報生成部は、前記表示装置から前記乗員までの距離の情報に基づいて、前記制御情報を生成する。
【００９１】
また、本開示における表示制御装置において、前記情報生成部は、前記車両の同乗者の有無の情報に基づいて、前記制御情報を生成する。
【００９２】
また、本開示における表示制御装置において、前記情報生成部は、前記乗員の人種または性別の情報に基づいて、前記制御情報を生成する。
【００９３】
また、本開示における表示制御装置において、前記情報生成部は、前記乗員の眼鏡の着用の有無の情報に基づいて、前記制御情報を生成する。
【００９４】
また、本開示における表示制御装置において、前記情報生成部は、前記表示装置の性能または状態の情報に基づいて、前記制御情報を生成する。
【００９５】
また、本開示における表示制御装置において、前記表示装置の状態の情報は、前記表示装置の表示面の向きの情報である。
【００９６】
また、本開示における表示制御装置において、前記情報生成部は、前記車両の状態の情報に基づいて、前記制御情報を生成する。
【００９７】
また、本開示における表示制御装置において、前記外来光に関する情報は、前記車両に照射される外来光の強度または方向の情報である。
【００９８】
また、本開示における表示制御装置において、前記車両の状態の情報は、前記車両の向きの情報である。
【００９９】
また、本開示における表示制御装置において、前記情報生成部は、前記表示装置に表示される画像の種類の情報に基づいて、前記制御情報を生成する。
【０１００】
また、本開示における表示制御装置において、前記輝度の制御は、前記表示装置の分割された各表示領域に対して行われるローカルディミングによる制御である。
【０１０１】
また、本開示における表示制御方法は、車両に搭載される１つ以上の表示装置の輝度の制御を行う表示制御方法であって、前記表示装置の方向の情報と、前記車両に照射される外来光に関する情報とに基づいて、前記輝度を制御する制御情報を生成するステップと、前記制御情報を前記表示装置に出力するステップと、を含む。
【０１０２】
また、本開示における表示制御プログラムは、車両に搭載される１つ以上の表示装置の輝度の制御を行う表示制御プログラムであって、コンピュータに、前記表示装置の方向の情報と、前記車両に照射される外来光に関する情報とに基づいて、前記輝度を制御する制御情報を生成する処理と、前記制御情報を前記表示装置に出力する処理と、を実行させる。
【産業上の利用可能性】
【０１０３】
本開示の表示制御装置、表示制御方法、および、表示制御プログラムは、表示装置の表示を制御する技術に有用である。
【符号の説明】
【０１０４】
１０  車内
２０  表示制御装置
３０  記憶部
４０  情報生成部
５０  情報出力部
１００  車内カメラ
１１０  照度センサ
１２０  加速度センサ
１３０  ＧＰＳ受信機
１４０  温度センサ
２００〜２５０  表示装置
【図１】
2020158019.tif 000003
【図２】
2020158019.tif 000004
【図３】
2020158019.tif 000005